(57)【特許請求の範囲】
【請求項１】
複数の画像と各画像にそれぞれ対応付けられた縮小画像とを記録した記録メモリと、
該記録メモリから取り出した画像を再生表示する画像再生制御手段と、
前記記録メモリに記録されている画像のうち削除する画像を指定する削除画像指定手段と、
前記記録メモリに記録した複数の画像のうち前記削除画像指定手段によって指定された画像のみを削除する画像削除制御手段と、
前記画像削除制御手段によって画像が削除される際、該削除される画像に対応付けられた縮小画像が前記記録メモリから取り出した縮小画像をカレンダの日付に関連付けて表示するカレンダ表示モードにおいてカレンダの日付に関連付けて表示される縮小画像のときは、該縮小画像の前記記録メモリからの削除を禁止する削除禁止手段と、
カレンダ表示モードにおいて、前記記録メモリから取り出した縮小画像をカレンダの日付に関連付けて表示するカレンダ表示制御手段と、
を備えた画像再生装置であって、
前記記録メモリは、画像とその縮小画像とを対応付ける情報を記憶した複数の画像ファイルと、削除された画像に対応付けられていた縮小画像とその画像情報を記憶した画像ファイルとを有する
こと特徴とする画像再生装置。
【請求項２】
前記画像削除制御手段は、前記記録メモリに記録されている画像ファイルを削除する際に該画像ファイルに対応付けられている縮小画像がカレンダ表示モードにおいてカレンダの日付に関連付けて表示される縮小画像のときは、削除対象の画像ファイルに記憶されている画像に代えて該縮小画像を記憶すると共に、該画像ファイルに記憶されている縮小画像の画像情報から該縮小画像を削除すること特徴とする請求項１に記載の画像再生装置。
【請求項３】
複数の画像と各画像にそれぞれ対応付けられた縮小画像とを記録した記録メモリを備えた画像再生装置におけるカレンダ表示方法であって、
前記記録メモリに記録されている画像のうち削除する画像を指定するステップと、
前記記録メモリに記録した複数の画像のうち削除指定された画像のみを削除するステップと、
前記削除指定された画像が削除される際、該削除される画像に対応付けられた縮小画像が前記記録メモリから取り出した縮小画像をカレンダの日付に関連付けて表示するカレンダ表示モードにおいてカレンダの日付に関連付けて表示される縮小画像のときは該縮小画像の前記記録メモリからの削除を禁止するステップと、
カレンダ表示モードにおいて、前記記録メモリから取り出した縮小画像をカレンダの日付に関連付けて表示するステップと、
前記記録メモリに、画像とその縮小画像とを対応付ける情報を記憶した複数の画像ファイルと、削除された画像に対応付けられていた縮小画像とその画像情報を記憶した画像ファイルを記録させるステップと、
を備えたことを特徴とするカレンダ表示方法。
【請求項４】
複数の画像と各画像にそれぞれ対応付けられた縮小画像とを記録した記録メモリを備えた画像再生装置のコンピュータに、
前記記録メモリに記録されている画像のうち削除する画像を指定する機能と、
前記記録メモリに記録した複数の画像のうち削除指定された画像のみを削除する機能と、
前記削除指定された画像が削除される際、該削除される画像に対応付けられた縮小画像が前記記録メモリから取り出した縮小画像をカレンダの日付に関連付けて表示するカレンダ表示モードにおいてカレンダの日付に関連付けて表示される縮小画像のときは該縮小画像の前記記録メモリからの削除を禁止する機能と、
カレンダ表示モードにおいて、前記記録メモリから取り出した縮小画像をカレンダの日付に関連付けて表示する機能と、
前記記録メモリに、画像とその縮小画像とを対応付ける情報を記憶した複数の画像ファイルと、削除された画像に対応付けられていた縮小画像とその画像情報を記憶した画像ファイルを記録させる機能と、
を実行させるプログラム。
【発明の詳細な説明】
【技術分野】
【０００１】
本発明は、カレンダ表示機能を備えたデジタルカメラ等の画像再生装置、カレンダ表示技術に関する。
【背景技術】
【０００２】
デジタルカメラにおいて、再生時に、記録されている記録画像の縮小画像を期間（年／月／日）ごとにカレンダ表示するものがある（例えば、特許文献１参照）。  
しかしながら、同特許文献１の技術では同じ日に複数毎の画像が撮影された場合に再生時に複数の記録画像の縮小画像をカレンダの同じ日付に関連付けて表示することとなり、画像が見難いといった課題があった。
【０００３】
このような課題を解決するものとして、再生時に記録されている記録画像からその日に撮影された１枚目若しくは任意の１枚の画像の縮小画像を用いて管理データを作成し、この管理データ中の縮小画像を用いてカレンダ表示を行うものがある（例えば、特許文献２参照）。
【０００４】
【特許文献１】特開平１１−２１５４５７号公報
【特許文献２】特開２００４−２６０７１０号公報
【発明の開示】
【発明が解決しようとする課題】
【０００５】
上記特許文献１および特許文献２に記載の技術では、記録画像の縮小画像から縮小画像を生成し、記録画像（以下、本画像）の日付とカレンダの日付を対応付けてその縮小画像を表示したカレンダを作成するので、本画像を削除すると本画像に対応する縮小画像も削除されることから、カレンダを表示する際にカレンダの日付に対応する縮小画像のなかで表示できないものが生ずるといった課題があった。つまり、カレンダに表示される画像が消えてしまうので、カレンダが過去の記録としての機能を果たさないといった課題もあった。また、カレンダを簡単な日記として過去の情報を残しておきたいといった要求もあった。
【０００６】
本発明は、上記課題を解決するためになされたものであり、本画像が削除されてもカレンダの日付に対応する縮小画像を表示する、カレンダ表示機能付き画像再生装置、カレンダ表示方法、およびプログラムの提供を目的とする。
【課題を解決するための手段】
【０００７】
上記課題を解決するために、請求項１に記載の発明では、複数の画像と各画像にそれぞれ対応付けられた縮小画像とを記録した記録メモリと、該記録メモリから取り出した画像を再生表示する画像再生制御手段と、前記記録メモリに記録されている画像のうち削除する画像を指定する削除画像指定手段と、前記記録メモリに記録した複数の画像のうち前記削除画像指定手段によって指定された画像のみを削除する画像削除制御手段と、前記画像削除制御手段によって画像が削除される際、該削除される画像に対応付けられた縮小画像が前記記録メモリから取り出した縮小画像をカレンダの日付に関連付けて表示するカレンダ表示モードにおいてカレンダの日付に関連付けて表示される縮小画像のときは、該縮小画像の前記記録メモリからの削除を禁止する削除禁止手段と、カレンダ表示モードにおいて、前記記録メモリから取り出した縮小画像をカレンダの日付に関連付けて表示するカレンダ表示制御手段と、を備えた画像再生装置であって、前記記録メモリは、画像とその縮小画像とを対応付ける情報を記憶した複数の画像ファイルと、削除された画像に対応付けられていた縮小画像とその画像情報を記憶した画像ファイルとを有することを特徴とする画像再生装置を提供する。
これにより、本画像（縮小画像と対応している記録画像をいう）を削除してもこの本画像に対応付けられていた縮小画像は記録メモリに残るので、従来のように本画像を削除するとこの本画像に対応付けられた縮小画像も一緒に削除されてしまうようなことがなく、カレンダ表示モードでいままで日付に関連付けて表示していた縮小画像が今までどおりカレンダに表示されるので、カレンダが過去の記録としての機能を果たすことができ、ユーザは縮小画像とカレンダの日付を見て過去の情景等を回想することができる。つまり、簡単な日記として過去の画像情報を残すことができる。
更に、本画像が縮小されると本画像に対応した縮小画像を本画像に代えて記憶した画像ファイルが生成されるので、カレンダ表示モードの際は本画像が削除されていても画像ファイルから縮小画像を取り出して日付に関連付けて表示できる。
【００１１】
また、請求項２に記載の発明では、画像削除制御手段は、記録メモリに記録されている画像ファイルを削除する際に該画像ファイルに対応付けられている縮小画像がカレンダ表示モードにおいてカレンダの日付に関連付けて表示される縮小画像のときは、削除対象の画像ファイルに記憶されている画像に代えて該縮小画像を記憶すると共に、該画像ファイルに記憶されている縮小画像の画像情報から該縮小画像を削除すること特徴とする請求項１に記載の画像再生装置を提供する。
これにより、本画像が縮小されると本画像に対応した縮小画像を本画像に代えて記憶した画像ファイルが生成されるので、カレンダ表示モードの際は本画像が削除されていても画像ファイルから縮小画像を取り出して日付に関連付けて表示できる。また、通常の画像再生の際、所望の画像を再生するために縮小画像を表示する際は縮小画像の画像情報を基に縮小画像を表示するようにすれば、本画像が削除されている縮小画像は表示されないので、通常の画像再生で画像を選択する際に本画像が削除されている縮小画像を選択してしまって選択をし直すといったような手間がかからない。
【００１４】
また、請求項３に記載の発明では、複数の画像と各画像にそれぞれ対応付けられた縮小画像とを記録した記録メモリを備えた画像再生装置におけるカレンダ表示方法であって、前記記録メモリに記録されている画像のうち削除する画像を指定するステップと、前記記録メモリに記録した複数の画像のうち削除指定された画像のみを削除するステップと、前記削除指定された画像が削除される際、該削除される画像に対応付けられた縮小画像が前記記録メモリから取り出した縮小画像をカレンダの日付に関連付けて表示するカレンダ表示モードにおいてカレンダの日付に関連付けて表示される縮小画像のときは該縮小画像の前記記録メモリからの削除を禁止するステップと、カレンダ表示モードにおいて、前記記録メモリから取り出した縮小画像をカレンダの日付に関連付けて表示するステップと、前記記録メモリに、画像とその縮小画像とを対応付ける情報を記憶した複数の画像ファイルと、削除された画像に対応付けられていた縮小画像とその画像情報を記憶した画像ファイルを記録させるステップと、を備えたことを特徴とするカレンダ表示方法を提供する。
これにより、本画像を削除してもこの本画像に対応付けられていた縮小画像は記録メモリに残るので、従来のように本画像を削除するとこの本画像に対応付けられた縮小画像も一緒に削除されてしまうようなことがなく、カレンダ表示モードでいままで日付に関連付けて表示していた縮小画像が今までどおりカレンダに表示されるので、カレンダが過去の記録としての機能を果たすことができる。つまり、簡単な日記として過去の画像情報を残すことができる。
更に、本画像が縮小されると本画像に対応した縮小画像を本画像に代えて記憶した画像ファイルが生成されるので、カレンダ表示モードの際は本画像が削除されていても画像ファイルから縮小画像を取り出して日付に関連付けて表示できる。
【００１５】
また、請求項４に記載の発明では、複数の画像と各画像にそれぞれ対応付けられた縮小画像とを記録した記録メモリを備えた画像再生装置のコンピュータに、前記記録メモリに記録されている画像のうち削除する画像を指定する機能と、前記記録メモリに記録した複数の画像のうち削除指定された画像のみを削除する機能と、前記削除指定された画像が削除される際、該削除される画像に対応付けられた縮小画像が前記記録メモリから取り出した縮小画像をカレンダの日付に関連付けて表示するカレンダ表示モードにおいてカレンダの日付に関連付けて表示される縮小画像のときは該縮小画像の前記記録メモリからの削除を禁止する機能と、カレンダ表示モードにおいて、前記記録メモリから取り出した縮小画像をカレンダの日付に関連付けて表示する機能と、前記記録メモリに、画像とその縮小画像とを対応付ける情報を記憶した複数の画像ファイルと、削除された画像に対応付けられていた縮小画像とその画像情報を記憶した画像ファイルを記録させる機能と、を実行させるプログラムを提供する。
これにより、画像再生装置は本画像（縮小画像と対応している画像をいう）を削除してもこの本画像に対応付けられていた縮小画像は記録メモリに残るので、従来のように本画像を削除するとこの本画像に対応付けられた縮小画像も一緒に削除されてしまうようなことがなく、カレンダ表示モードでいままで日付に関連付けて表示していた縮小画像を今までどおりカレンダに表示できる。
更に、本画像が縮小されると本画像に対応した縮小画像を本画像に代えて記憶した画像ファイルが生成されるので、カレンダ表示モードの際は本画像が削除されていても画像ファイルから縮小画像を取り出して日付に関連付けて表示できる。
【発明の効果】
【００１７】
本発明によれば、記録画像を削除してもこの記録画像に対応付けられていた縮小画像は記録メモリに残り、従来のように記録画像を削除すると削除した記録画像に対応付けられた縮小画像も一緒に削除されてしまうようなことがないので、画像表示装置は削除された記録画像の縮小画像を含めて縮小画像をカレンダの日付に対応付けて表示できことから表示されるカレンダは過去の記録としての機能を果たすことができる。つまり、簡単な日記として過去の画像情報を残すことができる。
【発明を実施するための最良の形態】
【００１８】
図１は、本発明に係る撮像装置の一実施例としてのデジタルカメラの外観を示す図であり、ここでは主として正面（図１（ａ））及び背面（図１（ｂ））の外観を示す。デジタルカメラ１００は、図１（ａ）に示すように正面側に撮像レンズ（レンズ群）２を有している。また、デジタルカメラ１００の背面には図１（ｂ）に示すように、モードダイアル３、液晶モニタ画面４、カーソルキー５、ＳＥＴキー６、ズームボタン７（Ｗボタン７−１、Ｔボタン７−２）、メニューキー１０等が設けられている。また、上面にはシャッターキー８、電源ボタン９が設けられている。なお、側部には図示されていないが、パーソナルコンピュータ（以下、パソコン）やモデム等の外部装置とＵＳＢケーブルに接続する場合に用いるＵＳＢ端子接続部が設けられている。
【００１９】
図２は図１に示したデジタルカメラの電子回路構成の一実施例を示す図である。図２で、デジタルカメラ１００は、基本モードである撮影モードにおいて、ズームレンズ１２−１を移動させて光学ズーム動作を行わせるズーム駆動部１１−１、フォーカスレンズ１２−２を移動させて合焦動作を行わせるＡＦ駆動部１１−２、ズームレンズ１２−１及びフォーカスレンズ１２−２を含む撮像レンズ２を構成するレンズ光学系１２、撮像素子であるＣＣＤ１３、タイミング発生器（ＴＧ）１４、垂直ドライバ１５、サンプルホールド回路（Ｓ／Ｈ）１６、Ａ／Ｄ変換器１７、カラープロセス回路１８、ＤＭＡ（Direct Memory Access）コントローラ１９、ＤＲＡＭインターフェイス（Ｉ／Ｆ）２０、ＤＲＡＭ２１、制御部２２、ＶＲＡＭコントローラ２３、ＶＲＡＭ２４、デジタルビデオエンコーダ２５、表示部２６、ＪＰＥＧ回路２７、保存メモリ２８、キー入力部３０、およびＵＳＢインターフェイス（Ｉ／Ｆ）３１を備えている。
【００２０】
撮影モードでのモニタリング状態においては、ズーム駆動部１１−１は光学ズーム指示があると制御部５０からの制御信号に基づいて図示しないズームレンズ駆動モータを駆動してズームレンズ１２−１を光軸に沿って前後に移動させることによりＣＣＤ１３に結像させる画像の倍率そのものを変化させる。
【００２１】
また、ＡＦ駆動部１１−２は図示しないフォーカスレンズ駆動モータを駆動してフォーカスレンズ１２−２を移動させる。  
そして、上記撮像レンズ２を構成する光学系１２の撮影光軸後方に配置された撮像素子であるＣＣＤ１３が、タイミング発生器（ＴＧ）１４、垂直ドライバ１５によって走査駆動され、一定周期毎に結像した光像に対応する光電変換出力を１フレーム分出力する。
【００２２】
ＣＣＤ１３は被写体の二次元画像を撮像する固体撮像デバイスであり、典型的には毎秒数十フレームの画像を撮像する。なお、撮像素子はＣＣＤに限定されずＣＭＯＳ（Complementary Metal Oxide Semiconductor）などの固体撮像デバイスでもよい。
【００２３】
この光電変換出力は、アナログ値の信号の状態でＲＧＢの各原色成分毎に適宜ゲイン調整された後に、サンプルホールド回路（Ｓ／Ｈ）１６でサンプルホールドされ、Ａ／Ｄ変換器１７でデジタルデータ（画素）に変換され、カラープロセス回路１８で画像補間処理及びγ補正処理を含むカラープロセス処理が行われて、デジタル値の輝度信号Ｙ及び色差信号Ｃｂ、Ｃｒが生成され、ＤＭＡ（Direct Memory  Access）コントローラ１９に出力される。
【００２４】
ＤＭＡコントローラ１９は、カラープロセス回路１８の出力する輝度信号Ｙ及び色差信号Ｃｂ、Ｃｒを、同じくカラープロセス回路１８からの複合（composite）同期信号、メモリ書き込みイネーブル信号、及びクロック信号を用いてＤＲＡＭインターフェイス（Ｉ／Ｆ）２０を介してバッファメモリとして使用されるＤＲＡＭ２１にＤＭＡ転送する。
【００２５】
制御部２２は、このデジタルカメラ１００全体の制御動作を司るものであり、ＣＰＵ若しくはＭＰＵ（以下、ＣＰＵ）と、後述するようなカレンダ画像表示動作制御を含む該ＣＰＵで実行される動作プログラムを記憶したフラッシュメモリ等のプログラム格納メモリ、及びワークメモリとして使用されるＲＡＭ等により構成され、上記輝度及び色差信号のＤＲＡＭ２１へのＤＭＡ転送終了後に、この輝度及び色差信号をＤＲＡＭインターフェイス２０を介してＤＲＡＭ２１から読出し、ＶＲＡＭコントローラ２３を介してＶＲＡＭ２４に書込む。
【００２６】
制御部２２は、また、キー入力部３０からの状態信号に対応してフラッシュメモリ等のプログラム格納用メモリに格納されている各モードに対応の処理プログラムやメニューデータを取り出して、デジタルカメラ１００の各機能の実行制御、例えば、本発明に基づくカレンダ画像表示制御や、電子ズーム時のズーム表示動作制御、光学ズーム時のズームレンズの動作制御や、スルー表示、自動合焦、撮影、記録、及び記録した画像の再生・表示等の実行制御等や機能選択時の機能選択メニューの表示制御、設定画面の表示制御等を行う。
【００２７】
デジタルビデオエンコーダ２５は、上記輝度及び色差信号をＶＲＡＭコントローラ２３を介してＶＲＡＭ２４から定期的に読み出し、これらのデータを基にビデオ信号を生成して上記表示部２６に出力する。
【００２８】
表示部２６は、上述したように撮影モード時にはモニタ表示部（電子ファインダ）として機能するもので、デジタルビデオエンコーダ２５からのビデオ信号に基づいた表示を行うことで、その時点でＶＲＡＭコントローラ２３から取込んでいる画像情報に基づく画像をリアルタイムに液晶モニタ画面４に表示することになる。
【００２９】
制御部２２は合焦指示に応じてその時点でＣＣＤ１３から取込んでいる１フレーム分の輝度及び色差信号のＤＲＡＭ２１へのＤＭＡ転送の終了後、直ちにＣＣＤ１３からのＤＲＡＭ２１への経路を停止し、記録保存の状態に遷移する。
【００３０】
この保存記録の状態では、制御部２２がＤＲＡＭ２１に書込まれている１フレーム分の輝度及び色差信号をＤＲＡＭインターフェイス２０を介してＹ、Ｃｂ、Ｃｒの各コンポーネント毎に縦８画素×横８画素の基本ブロックと呼称される単位で読み出してＪＰＥＧ（Joint Photograph cording Experts Group）回路２７に書込み、このＪＰＥＧ回路２７でＡＤＣＴ（Adaptive Discrete Cosine Transform：適応離散コサイン変換）、エントロピー符号化方式であるハフマン符号化等の処理によりデータ圧縮する。そして得た符号データを１画像のデータファイルとしてＪＰＥＧ回路２７から読出し、保存メモリ２８に記録保存する。また、１フレーム分の輝度及び色差信号の圧縮処理及び保存メモリ２８への全圧縮データの書込み終了に伴って、制御部２２はＣＣＤ１３からＤＲＡＭ２１への経路を再び起動する。
【００３１】
また、基本モードである再生モード時には、制御部２２が保存メモリ２８に記録されている画像データを選択的に読出し、ＪＰＥＧ回路２７で画像撮影モード時にデータ圧縮した手順とまったく逆の手順で圧縮されている画像データを伸張し、伸張した画像データをＶＲＡＭコントローラ２３を介してＶＲＡＭ２４に展開して記憶させた上で、このＶＲＡＭ２４から定期的に読出し、これらの画像データを元にビデオ信号を生成して表示部２６で再生出力させる。
【００３２】
上記ＪＰＥＧ回路２７は複数の圧縮率に対応しており、圧縮率に対応させて記憶するモードには圧縮率の低い高解像度（一般に、高精細、ファイン、ノーマルなどと呼ばれる）に対応するモードと圧縮率の高い低解像度（一般にエコノミーなどと呼ばれる）モードがある。  
また、高画素数から低画素数にも対応している。例えば、ＳＸＧＡ（１６００×１２００）、ＸＧＡ（１０２４×７８６）、ＳＶＧＡ（８００×６００）、ＶＧＡ（６４０×４８０）、ＱＶＧＡ（３２０×２４０）等と呼ばれる記録画素サイズがある。
【００３３】
保存メモリ２８は、内蔵メモリ（フラッシュメモリ）やハードディスク、あるいは着脱可能なメモリカード等の記録媒体からなり画像データや撮影情報等を保存記録する。図３に保存メモリ２８の記録領域の構成例を、図４に画像ファイルのフォーマットを示す。
【００３４】
キー入力部３０は、上述したモードダイアル３、カーソルキー５、ＳＥＴキー６、ズームボタン７（Ｗボタン７−１、Ｔボタン７−２）、シャッターキー８、電源ボタン９、およびメニューキー１０と、キーが操作されると操作されたキーの操作信号を生成して制御部２２に送出するキー処理部（図示せず）等から構成されている。
【００３５】
モードダイアル３は撮影モードや再生モードの選択を行うものである。ユーザはモードダイアル３を操作して、（静止画）通常撮影モード、マクロ撮影モード、連写モード、速写モード、・・、動画撮影モード、・・・等の撮影モードや、静止画再生モード、動画再生モード等の再生モードやカレンダ表示モード等の表示モードを選択することができる。なお、カレンダ表示モードの選択はモードダイアルによる操作ではなく、再生モード選択時に表示されるカレンダ表示メニュー若しくはカレンダ表示アイコン等の選択により行うようにしてもよい。
【００３６】
カーソルキー５はモード設定やメニュー選択等に際して液晶モニタ画面４に表示されるメニューやアイコン等をカーソルでポイント（指定）する際に操作するキーであり、カーソルキー５の操作によりカーソルを上下又は左右に移動させることができる。また、ＳＥＴキー６はカーソルキー５によってカーソル表示されている項目を選択設定若しくは確認する際に押すキーである。
【００３７】
ズームボタン７は、ズーム操作に用いられ、光学ズームの場合はズームボタン７（Ｗボタン７−１またはＴボタン７−２）の操作に対応して画角が実際に変化し、液晶モニタ画面４にはワイド（広角）画像又はテレ（望遠）画像が表示される。電子ズームの場合はズームボタン７の操作に対応して光学系１２からの画像がデジタルズーム処理により画像が拡大／縮小されて表示される。
【００３８】
シャッターキー８は、撮影時にレリーズ操作を行うもので、２段階のストロークを有しており、１段目の操作（半押し状態）でオートフォーカス（ＡＦ）と自動露出（ＡＥ）を行わせるための合焦指示信号を発生し、２段目の操作（全押し状態）で撮影処理を行うための撮影指示信号を発生する。
【００３９】
メニューキー１０が操作されると、押されるとその時点で処理可能な選択メニューやアイコンを表示する。
【００４０】
ＵＳＢインターフェイス（Ｉ／Ｆ）３１はデジタルカメラ１００からＵＳＢケーブルを介して外部画像処理装置や、画像記録装置、画像表示装置、画像印刷装置等の外部装置に画像データを送信したり、制御データを授受する際のインターフェィスである。
【００４１】
図３は保存メモリ２８における画像ファイルのフォーマットの一実施例を示す図であり、図３（ａ）はＥｘｉｆ圧縮ファイル全体のフォーマットを示す。Ｅｘｉｆ（Exchange Image File Format）圧縮ファイル４０にはＪＰＥＧ画像のデータ形式をベースにサムネイル画像や撮影情報などが埋め込まれており、符号４１はファイル番号等のファイル識別情報、符号４２はサムネイル画像情報、符号４３〜４７は本画像の撮影情報、符号４８は本画像（圧縮データ）を意味する。  
また、図３（ｂ）はＥｘｉｆ圧縮ファイル４０のＡＰＰ１マーカー４２部分の詳細を示す。ＡＰＰ１マーカー４２にはＥｘｉｆ情報４２−３〜４２−７およびサムネイル情報（ＪＰＥＧサムネイル（ＪＰＥＧ Thumbnail））４２−８が記録されている。図３（ｃ）はＡＪＰＥＧサムネイル４２−８の詳細を示し、ＪＰＥＧサムネイル情報欄４２−８のサムネイル圧縮データ欄４２−８−６にはサムネイル（データ）が記録されている。サムネイルは本画像を横１６０×縦１２００ｄｏｔのサイズに縮小して作成される。
【００４２】
保存メモリ２８に記録されている画像（以下、記録画像）から縮小画像を生成してカレンダ中の日付欄内に表示する場合は、ＡＰＰ１マーカー４２（図３（ｂ））内のＥｘｉｆ情報４２−３〜４２−７から撮影日時と撮影情報を取得し、サムネイル圧縮データ欄４２−８−６（図３（ｃ））のサムネイルをカレンダの日付欄の大きさに合うように伸張（若しくは縮小）して対応する日付欄に表示する。また、カレンダへの表示ではない通常の再生表示を行う場合は、同様にＡＰＰ１マーカー４２内のＥｘｉｆ情報４２−３〜４２−７から撮影日時と撮影情報を取得し、続いてそのサムネイルの本画像データを対応するＥｘｉｆ圧縮ファイル（図４（ａ））の本画像欄４８から取り出して画面サイズに伸張し、表示する。
【００４３】
図４は、カレンダ用サムネイルの本画像を削除した場合の、本発明に係わる画像ファイルのフォーマットの一実施例を示す図であり、図４（ａ）は本画像を削除した場合のＥｘｉｆ圧縮ファイル全体のフォーマットを示す。Ｅｘｉｆ圧縮ファイル５０はＪＰＥＧ画像のデータ形式をベースにサムネイル画像や撮影情報などが埋め込まれており、符号５１はファイル番号等のファイル識別情報、符号５２はサムネイル画像情報、符号５３〜５７はサムネイル画像の撮影情報、符号５８はサムネイル画像データを意味する。また、図４（ｂ）はＥｘｉｆ圧縮ファイル５０のＡＰＰ１マーカー５２部分の詳細を示す。ＡＰＰ１マーカー５２にはサムネイル情報のみが記録されている。
【００４４】
また、各実施例の説明では画像ファイルの形式をＥｘｉｆ圧縮ファイルとしたが、画像ファイルの形式はＥｘｉｆ圧縮ファイルに限定されない。例えば、ＥＰＳファイル（Encapsulated Post Script File）としてもよい。この場合、縮小画像はサムネイルではなくＥＰＳファイルに付加される低解像度のビップマップ画像であるプレビュー画像から生成されることとなる。
【００４５】
図５は本発明に係わるデジタルカメラの全体動作の概要を示すフローチャートであり、このフローチャートはデジタルカメラ１００に本発明のズーム表示機能を実現させるためのプログラムを説明するためのものである。  
以下に示す処理は基本的に制御部２２が予めフラッシュメモリ等のプログラムメモリに記憶されたプログラムに従って実行する例で説明するが、全ての機能をプログラムメモリに格納する必要はなく、必要に応じて、その一部若しくは全部をネットワークを介して受信して実現するようにしてもよい。以下、図１〜図５に基いて説明する。なお、図５に示すフローチャートでは撮影モードとして静止画撮影モード、再生モードとして静止画再生モードを例として説明するが、本発明を適用可能な撮影モードおよび再生モードはこれらに限定されない。
【００４６】
図５で、電源投入後、ユーザはモードダイアル３を操作して撮影モード、再生モード、カレンダ表示モード等のモードを選択するので、制御部２２はキー入力部３０からの信号を調べ、「撮影モード」が選択された場合にはステップＳ２へ、「再生モード」が選択された場合はステップＳ８へ、「カレンダ表示モード」が選択された場合はステップＳ１６へ、印刷装置等の外部装置への「出力（送信）モード」が選択された場合はステップＳ１７に進み、その他のモードが選択された場合は選択されたモードに対応する処理に進む（ステップＳ１）。
【００４７】
上記ステップＳ１で撮影モードが選択されると、制御部２２は初期設定の後（ステップＳ２）、その時点のズーム値に対応した焦点距離でＡＥ処理を実行し、光学系１２からの被写体像を基にＣＣＣＤ１３から画像データを取得し、画素数を間引いた画像を表示部２６にスルー表示し（ステップＳ３）、ズームボタン７が操作された場合はズーム処理を行い（ステップＳ４）、シャッターキー８の半押しをトリガとして自動合焦処理を行ない（ステップＳ５）、自動合焦処理が終わると合焦位置をロックしてステップＳ７に進み（ステップＳ６）、シャッターキー８が全押しされるとその時点で直ちにＣＣＤ１３からのＤＲＡＭ２１への経路を停止してスルー画像取得時とは異なる本撮影時のＣＣＤ駆動方式への切替を実行して画像データを取り込み、ＪＰＥＧ回路２７で画像圧縮処理を施し、この圧縮データからなる画像ファイルを保存メモリ２８に記録し、１フレーム分の撮影処理を終了する。なお、画像は、ＤＣＦ（Design rule for Camera File system）構造体およびＥｘｉｆに従ってフォーマットされる（ステップＳ７）。
【００４８】
上記ステップＳ１で再生モードが選択されると、制御部２２は保存メモリ２８からサムネイル画像（データ）を順次読み出して、表示部２６の液晶モニタ５上に一覧表示してユーザに再生する画像の選択を促し（ステップＳ８）、ユーザが再生する画像を選択すると（ステップＳ９）、制御部２２は選択されたサムネイル画像に対応するＥｘｉｆ圧縮ファイルの有無を調べ（ステップＳ１０）、対応するＥｘｉｆ圧縮ファイルがある場合は、制御部２２は画像データ（圧縮画像データ）をそのＥｘｉｆ圧縮ファイルから取り出して伸張処理を施し、表示部２６の画像モニタ５上に画面サイズの画像を表示してステップＳ１３に進み（ステップＳ１１）、対応するＥｘｉｆ圧縮ファイルがない場合は、制御部２２は選択したサムネイル画像をブリンクさせる等して差別表示すると共に、画面の所定の位置（例えば上部）に本画像がない旨の報知メッセージ（例えば、「本画像はありません」）を表示してステップＳ９に戻る（ステップＳ１２）。
【００４９】
ユーザはメニューキー１０を押して再生画像の削除や出力（印刷装置等への送信）等のメニュー若しくはアイコンを表示させてからカーソルキー５で所望の処理を選択することができるので、制御部２２はキー入力部３０からの信号を調べ、「削除」が選択されたときはステップＳ１４に進み、「出力」が選択されたときはステップＳ１５に進み、「終了」が選択されたときは再生処理を終了する（その他の処理が選択された場合についてはここでは説明を省略する）（ステップＳ１３）。
【００５０】
「削除」が選択された場合は、制御部２２は、その画像のＥｘｉｆ圧縮ファイルの欄４１〜４７を欄５１〜５７として生成し、欄５７に本画像の圧縮データに代えてサムネイル圧縮データを記録したＥｘｉｆ圧縮ファイル５０（図４）を生成して保存メモリ２８に記録してステップＳ１３に戻る。これにより、Ｅｘｉｆ圧縮ファイル５０にはサムネイルはあるが本画像はないので、本画像が削除されたこととなる。なお、ＡＰＰＩマーカー５２には図４（ｂ）に示したようにサムネイル情報欄５２−１〜５２−６は生成されるがＪＰＥＧサムネイル欄は生成されない（ステップＳ１４）。
【００５１】
「出力」が選択された場合は、制御部２２は上記ステップＳ１２でＥｘｉｆ圧縮ファイルから取り出した画像データ（圧縮画像データ）をＵＳＢインターファイス３１を介して外部装置に出力（送信）し、送信が終わるとステップＳ１３に戻る（ステップＳ１５）。
【００５２】
上記ステップＳ１で、カレンダ表示モードが選択された場合は、図６（若しくは図１０）に示すようなカレンダ表示処理に遷移する（ステップＳ１６）。
【００５３】
上記ステップＳ１で外部表示装置への出力モードが選択された場合は、制御部２２は保存メモリ２８からサムネイル（データ）を読み出して伸張処理して表示部２６の液晶モニタ５上に複数のサムネイル画像を一覧表示してユーザに出力する画像の選択を促し（ステップＳ１７）、ユーザが出力しようとする画像を選択すると（ステップＳ１８）、制御部２２は選択されたサムネイルに対応するＥｘｉｆ圧縮ファイルの有無を調べ（ステップＳ１９）、対応するＥｘｉｆ圧縮ファイルがない場合は選択したサムネイル画像をブリンクさせる等して差別表示すると共に、画面の所定の位置（例えば上部）に本画像がない旨の報知メッセージ（例えば、「この本画像は削除されているので送信できません」）を表示し、次の画像の選択を促して出力処理を終了し（ステップＳ２０）、対応するＥｘｉｆ圧縮ファイルがある場合は、制御部２２は画像データ（圧縮画像データ）をそのＥｘｉｆ圧縮ファイル保存メモリから読み出してＵＳＢインターフェイス３１を介してＵＳＢケーブルを介して接続している外部装置に送信し、送信が終わると１画面分の出力処理を終了する（ステップＳ２１）。
【００５４】
図６はカレンダ表示動作の一実施例を示すフローチャートであり、図５に示したフローチャートのステップＳ１６の詳細動作に相当する。また、図７にカレンダの表示例を示す。図７で符号７０は月間カレンダ、符号７２は表示されている月間カレンダの年月、符号７２−１、７２−２、７２−３、７２−４は撮影日に対応する日付欄に表示された縮小画像を示す。
【００５５】
図６で、カレンダ表示モードが選択されると、制御部２２は現在の年月を取得して取得した年月を表示年月としたカレンダ７０を生成し、表示部２６に表示すると共に（ステップＴ１）、保存メモリ２８の画像ファイル記録領域に記録されている最初のＥｘｉｆ圧縮ファイルをオープンし、先頭から６４Ｋバイト分のデータ（つまり、Ｅｘｉｆ圧縮ファイル１個分のデータ）を読み出し、６４Ｋバイト分のデータの読み出しが終わるとそのＥｘｉｆ圧縮ファイルをクローズし（ステップＴ２）、Ｅｘｉｆ情報から撮影日時を取得する（ステップＴ３）。
【００５６】
次に、制御部２２は、ＡＰＰ１マーカーのフォーマットからサムネイルがあるか否かを判定し、サムネイルがある場合はステップＴ６に進み、ない場合はステップＴ５に進む。なお、サムネイルの有無の判定は、ＡＰＰ１マーカーのフォーマットが図３（ｂ）に示したようにＪＰＥＧサムネイル欄４２−８があるフォーマットか、図４（ｂ）に示したようにＪＰＥＧサムネイル欄がないフォーマットかで判定できる。つまり、ＡＰＰ１マーカーにＪＰＥＧサムネイル欄があるフォーマットならサムネイルあり、ＡＰＰ１マーカーがＪＰＥＧサムネイル欄ないフォーマットならサムネイルなしと判定できる（ステップＴ４）。
【００５７】
サムネイルがない場合は本画像の圧縮データをカレンダ７０の日付欄の大きさに伸張し、カレンダ７０の日付欄のうち、上記ステップＴ３で取得した日に対応する日付欄内に表示してステップＴ７に進む（ステップＴ５）。
【００５８】
サムネイルがある場合はサムネイル圧縮画像をカレンダ７０の日付欄の大きさに伸張し、カレンダ７０の日付欄のうち、上記ステップＴ３で取得した日に対応する日付欄内に表示し（ステップＴ６）、保存メモリ２８の画像ファイル記録領域に記録されている次のＥｘｉｆ圧縮ファイルがあるか否かを調べ、ある場合はステップＴ８に進み、ない場合はステップＴ１０に進む（ステップＴ７）。
【００５９】
次のＥｘｉｆ圧縮ファイルがある場合はそのＥｘｉｆ圧縮ファイルをオープンし、先頭から６４Ｋバイト分のデータを読み出し、６４Ｋバイト分のデータの読み出しが終わるとそのＥｘｉｆ圧縮ファイルをクローズして、ステップＴ３に戻る（ステップＴ８）。
【００６０】
上記ステップＴ５で次のＥｘｉｆ圧縮ファイルがない場合は、取得した年月の月カレンダ７０の日付欄のうち、記録画像が撮影された日に対応している日付欄には縮小画像が表示されたことになるので、制御部２２はカレンダ７０の所定の位置（例えば、際下段）に、「次のカレンダ表示」、「本画像表示」、「縮小画像削除」、または「終了」を意味するアイコン若しくはメッセージを表示し、ユーザの選択を促し、キー入力部３０からの信号を調べて「次のカレンダ表示」が選択された場合はステップＴ１０に進み、「本画像表示」が選択された場合はステップＴ１１に進み、「縮小画像削除」が選択された場合はステップＴ１８に進み、「終了」が選択された場合は表示されているカレンダを削除してカレンダ表示処理を終了する（ステップＴ９）。
【００６１】
上記ステップＴ９で「次のカレンダ表示」が選択された場合は、ユーザはカーソルキー５を右（→）操作してカレンダの表示年月を１ヶ月ずつ進め、カーソルキー５を左（←）操作してカレンダの表示年月を１ヶ月ずつ戻すことができるので、制御部２２はキー入力部３０からの信号を調べ、カーソルキー５の右操作若しくは左操作回数をＳＥＴキー６が押されるまでカウントし、ＳＥＴキー６が押されると現在のカレンダの表示年月に加減算を行って新たな表示年月を取得し、ステップＴ１に戻る（ステップＴ１０）。
【００６２】
上記ステップＴ９で「本画像表示」が選択された場合は、ユーザはカーソルキー５で縮小画像が表示されている日付欄を指定するので、制御部２２はキー入力部３０からの信号を調べ、ユーザがカレンダの日付欄に表示されている縮小画像を選択・指定すると（ステップＴ１１）、選択された日付欄に表示されている縮小画像に対応するＥｘｉｆ圧縮ファイルがあるか否かを調べ（ステップＴ１２）、対応するＥｘｉｆ圧縮ファイルがない場合は選択した日付欄に表示されている縮小画像をブリンクさせる等して差別表示すると共に、カレンダ７０の所定の位置（例えば上部）に本画像がない旨の報知メッセージ（例えば、「この縮小画像の本画像はありません」）を表示し、次の画像の選択を促してステップＴ１１に戻り（ステップＴ１３）、縮小画像に対応するＥｘｉｆ圧縮ファイルがある場合は、制御部２２は本画像データ（圧縮画像データ）をそのＥｘｉｆ圧縮ファイルから読み出して伸張処理を施し、表示部２６の画像モニタ５上に画面サイズの画像をウインドウ表示する（ステップＴ１４）。
【００６３】
ユーザは、メニューキー１０を押して本画像の削除や出力（印刷装置等への送信）等のメニュー若しくはアイコンを表示させてからカーソルキー５で所望の処理を選択することができるので、制御部２２はキー入力部３０からの信号を調べ、メニューキー１０が押され且つ「削除」が選択されたときはステップＴ１６に進み、「出力」が選択されたときはステップＴ１７に進み、「終了」が選択されたときは再生処理を終了する（その他の処理が選択された場合についてはここでは説明を省略する）（ステップＴ１５）。
【００６４】
「削除」が選択された場合は、制御部２２はその画像のＥｘｉｆ圧縮ファイルの欄４１〜４７を欄５１〜５７として生成し、欄５７にサムネイル圧縮データを記録したＥｘｉｆ圧縮ファイル５０（図４）を生成して保存メモリに記録してから、本画像が表示されているウインドウをクリアしてステップＴ９に戻る。これにより、Ｅｘｉｆ圧縮ファイル５０にはサムネイルはあるが本画像はないので、本画像が削除されたこととなる（ステップＴ１６）。
【００６５】
「出力」が選択された場合は、制御部２２は上記ステップＴ１４でＥｘｉｆ圧縮ファイルから取り出した画像データ（圧縮画像データ）をＵＳＢインターファイス３１を介して外部装置に出力（送信）し、出力が終わるとステップＴ９に戻る（ステップＴ１７）。
【００６６】
上記ステップＴ９で「縮小画像削除」が選択された場合は、ユーザはカーソルキー５で縮小画像が表示されている日付欄を指定するので、制御部２２はその縮小画像に対応する本画像が記録されているＥｘｉｆ圧縮ファイルを削除してステップＴ９に戻る。つまり、縮小画像を削除すると対応するサムネイルも削除される（ステップＴ１８）。
【００６７】
上記図５のフローチャートのステップＳ１４および上記図６のフローチャートのステップＴ１６に示したように、Ｅｘｉｆ圧縮ファイル５０には本画像に代えてサムネイルのみを記録してあるので、本画像のみが削除されサムネイルは残り、削除した本画像の縮小画像もカレンダで表示できる。また、サムネイルは本画像に比べサイズ（圧縮サイズ）が極めて小さいので、本画像を削除する際にサムネイルを残すようにしてもメモリの記憶容量に与える影響も少ない。
【００６８】
また、上記図５のフローチャートのステップＳ１１、Ｓ１２および上記図６のフローチャートのステップＴ１３、Ｔ１４に示したように、本画像があるかないかで異なる表示を行うので、ユーザは縮小画像が表示されていても本画像なしの縮小画像であることがわかるので、出力指示等を出さずに済む。
【００６９】
また、上記図５のフローチャートのステップＳ１９〜Ｓ２１および上記図６のフローチャートのステップＴ１７に示したように、本画像が残っていない画像は印刷装置等の外部装置に出力しないので、外部装置側で本画像のない画像ファイルを判別したりする必要がなく、本画像がない画像ファイルと本画像があることから生ずる画像ファイルの取り違え等の間違いを防止できる。
【００７０】
＜変形例＞  
上記実施形態の説明ではカレンダ画像を表示する際、保存メモリ２８に記録されている全画像ファイルについてサムネイルの有無を調べ、カレンダの日付と撮影日時が一致する画像のサムネイル（または本画像）を拡大若しくは縮小してカレンダの日付欄に表示するようにしたが、カレンダ用ディレクトリを備えることにより、カレンダ表示の際には当該月のサブディレクトリを調べるだけでカレンダの日付と撮影日時が一致する画像のサムネイル（または本画像）を拡大若しくは縮小してカレンダの日付欄に表示することができる。
【００７１】
図８は保存メモリ２８の記録領域の構成例を示す図であり、保存メモリ２８は保存メモリに割り当てられた記録領域を管理する領域管理データを記録する管理データ記録領域２８−１、ディレクトリを記録するディレクトリ記録領域２８−２、画像ファイルを記録する画像記録領域２８−３、および各種データを記録するその他の領域２８−４からなる。また、ディレクトリ記録領域２８−２には図９に示すような構造を有している。ディレクトリ記録領域２８−２には記録画像用ディレクトリやカレンダ用ディレクトリ９０のほかその他ユーザの目的に応じたサブディレクトリを作成することができる。  
なお、同じ日には複数の画像が撮影される場合が多いが、図８のカレンダ用ディレクトリ９０のサブディレクトリ９１−１、９１−２、・・・に記録する画像ファイルは本願出願人による出願である特許文献２に記載されているように日付毎の画像を１日１ファイル（例えば、その日の最初の画像、若しくは任意に選択された画像１枚）に制限することが望ましい。
【００７２】
図９はディレクトリの構造例を示す図であり、符号９１で示す「ＤＣＩＭ」以下は記録画像が記録されているディレクトリであり、本実施形態では符号９２で示す「ＣＡＬＥＮＤ」がカレンダ用ディレクトリである。図１０で符号９２−１、９２−２、・・はカレンダ用ディレクトリ「ＣＡＬＥＮＤ」の下位に設けたサブディレクトリである。サブディレクトリ９１−１、９１−２、・・のディレクトリ名は年月（図示の例ではサブディレクトリ９１−１の“２００５０９”は２００５年９月を意味する）を表したディレクトリ名とする。このように構成すれば、カレンダ表示の際は図１１に示すように表示するカレンダの年月に対応するディレクトリ名のディレクトリに含まれる画像のみをサーチし、対応する縮小画像を表示することができる。
【００７３】
図１０は本変形例にかかわるカレンダ表示動作の一実施例を示すフローチャートであり、図５に示したフローチャートのステップＳ１８の詳細動作に相当する。
【００７４】
図１０で、カレンダ表示モードが選択されると、制御部２２は現在の年月を取得し（ステップして取得した年月を表示年月としたカレンダを生成し、取得した表示年月のカレンダ７０を表示部２６に表示すると共に（ステップＵ１）、保存メモリ２８のディレクトリ記憶領域２８−２のカレンダ用ディレクトリ「ＣＡＬＥＮＤ」のカレンダのサブディレクトリ名をカレンダの表示年月でサーチし、ヒットしたサブディレクトリに記録されている画像（圧縮データ）を順次取り出して（ステップＵ２）、順次伸張処理を施してから、カレンダ７０の日付欄の大きさに縮小して対応する日付欄内に表示する（ステップＵ３）。
【００７５】
上記ステップＵ１〜Ｕ３の動作によりカレンダ７０には取得した表示年月の月カレンダ７０の日付欄のうち、記録画像が撮影された日に対応している日付欄すべてにその記録画像の縮小画像が表示されるので、制御部２２はカレンダ７０の所定の位置（例えば、際下段）に、「次のカレンダ表示」、「本画像表示」、「縮小画像削除」、または「終了」を意味するアイコン若しくはメッセージを表示し、ユーザの選択を促し、キー入力部３０からの信号を調べて「次のカレンダ表示」が選択された場合はステップＵ５に進み、「本画像表示」が選択された場合はステップＵ６に進み、「縮小画像削除」が選択された場合はステップＵ１１に進み、「終了」が選択された場合は表示されているカレンダを削除してカレンダ表示処理を終了する（ステップＵ４）。
【００７６】
「次のカレンダ表示」が選択された場合は、ユーザはカーソルキー５を右（→）操作してカレンダの表示年月を１ヶ月ずつ進め、カーソルキー５を左（←）操作してカレンダの表示年月を１ヶ月ずつ戻すことができるので、制御部２２はキー入力部３０からの信号を調べ、カーソルキー５の右操作若しくは左操作回数をＳＥＴキー６が押されるまでカウントし、ＳＥＴキー６が押されると現在のカレンダの表示年月に加減算を行って新たな表示年月を取得し、ステップＵ１に戻る（ステップＵ５）。
【００７７】
「本画像表示」が選択された場合は、ユーザはカーソルキー５で縮小画像が表示されている日付欄を指定するので、制御部２２はキー入力部３０からの信号を調べ、ユーザが、縮小画像が表示されている日付欄を選択すると選択された日付欄に表示されている縮小画像に対応する画像ファイルを表示年月に対応しているサブディレクトリ名のサブディレクトリから取り出して（ステップＵ６）、その画像ファイルから取り出した圧縮画像データに伸張処理を施し、表示部２６の画像モニタ５上に画面サイズの画像をウインドウ表示する（ステップＵ７）。
【００７８】
ユーザは、メニューキー１０を押して本画像の削除等のメニュー若しくはアイコンを表示させてからカーソルキー５で所望の処理を選択することができるので、制御部２２はキー入力部３０からの信号を調べ、メニューキー１０が押され且つ「本画像削除」が選択されたときはステップＵ４に戻り、「終了」が選択されたときは再生処理を終了する（その他の処理が選択された場合についてはここでは説明を省略する）（ステップＵ８）。
【００７９】
「本画像削除」が選択された場合は、制御部２２は表示されている画像を含む画像ファイルの名称（この例では画像番号）が記録されているカレンダ用ディレクトリ「ＣＡＬＥＮＤ」９２（図９）のサブディレクトリからその画像ファイル名（＝画像番号）を取得し（ステップＵ９）、ディレクトリ「ＤＣＩＭ」９１からそのファイル名（画像番号）と一致する画像ファイル名（この例では、画像番号）を削除し、本画像が表示されているウインドウをクリアしてステップＵ４に戻る（ステップＵ１０）。
【００８０】
「縮小画像削除」が選択された場合は、制御部２２は表示されている画像を含む画像ファイルが記録されているカレンダ用ディレクトリ「ＣＡＬＥＮＤ」９２のサブディレクトリからその画像ファイルを削除し、本画像が表示されているウインドウをクリアしてステップＵ４に戻る（ステップＵ１１）。
【００８１】
上記図９に示したように、カレンダ用ディレクトリのサブディレクトリ名をカレンダの年月（表示年月）と同じにしたので、図１０のフローチャートに示すようにカレンダ用ディレクトリのサブディレクトリ名を表示年月でサーチするだけで表示されているカレンダに関連する画像、つまり、撮影年月がカレンダの表示年月と同じ画像を保存メモリから取り出すことができる。つまり、保存されている全ファイルを検索しなくても済むので瞬時にカレンダに縮小ファイルを表示できる。また、図９に示すようにプログラムの構成が簡単になる。
【００８２】
以上、本発明のいくつかの実施例について説明したが本発明は上記各実施例に限定されるものではなく、種々の変形実施が可能であることはいうまでもない。例えば画像再生装置という用語は、デジタルカメラやカメラ付き携帯電話機のほか、画像再生機能を有する画像記録装置や情報機器などにも適用し得るものである。
【図面の簡単な説明】
【００８３】
【図１】デジタルカメラの外観構成の一例を示す図である。
【図２】図２に示したデジタルカメラの電子回路構成の一実施例を示す図である。
【図３】画像ファイルのフォーマットの一実施例を示す図である。
【図４】カレンダ用サムネイルの本画像を削除した場合の本発明に係わる画像ファイルのフォーマットの一実施例を示す図である。
【図５】デジタルカメラの全体動作の概要を示すフローチャートである。
【図６】本発明にかかわるカレンダ表示動作の一実施例を示すフローチャートである。
【図７】カレンダの表示例を示す図である。
【図８】保存メモリの記録領域の構成例を示す図である。
【図９】カレンダ用ディレクトリの構造例を示す図である。
【図１０】本発明の変形例に係わるカレンダ表示動作の一実施例を示すフローチャートである。
【符号の説明】
【００８４】
５  カーソル（削除画像指定手段）
２２  制御部（画像削除制御手段、画像再生制御手段、画像出力制御手段、カレンダ表示制御手段）
２７  ＪＰＥＧ回路（画像再生手段）
２８  保存メモリ（記録メモリ）
７０  カレンダ
７１  表示年月
９１、９２  ディレクトリ
９１−１  サブディレクトリ
１００  デジタルカメラ（画像表示装置）
【図１】
0004670634.tif 000002
【図２】
0004670634.tif 000003
【図３】
0004670634.tif 000004
【図４】
0004670634.tif 000005
【図５】
0004670634.tif 000006
【図６】
0004670634.tif 000007
【図７】
0004670634.tif 000008
【図８】
0004670634.tif 000009
【図９】
0004670634.tif 000010
【図１０】
0004670634.tif 000011